(57)【要約】【課題】ソフトタッチが要求される部分と擦り付けが可能な部分との拭き取りに対応できる使い勝手の良い拭き布を提供する。【手段】地組織１の表裏両側に単位パイル４，５の群より成るパイル層２，３を形成している拭き布において、表裏パイル層２，３の高さを例えば２倍程度に異ならせる。パイル用糸条は極めて多数本の原糸の束で構成されており、パイル用原糸には繊度が０．０２デニール以下の極細のフィラメントを使用している。パソコン用の拭き布であると、高さの高いパイル層２は液晶ディスプレイやＣＤ類のホコリ拭きに使用し、高さの低いパイル層３は本体やキーボード、ＣＤケースの汚れ取りに使用するというように、１枚を２役に使用できる。。【選択図】        図３
2004305616.tif 000002
【特許請求の範囲】
【請求項１】
地組織の表面と裏面とに、単位パイルの群が多数整列して編み込まれているパイル層を形成しており、各単位パイル層をループ状のままに保持して成る拭き布であって、
前記各単位パイルは多数本の原糸の束より成っており、表面側のパイル層と裏面側のパイル層とは、互いの高さを異ならせた状態に編み上げられている、
パイル編地製の拭き布。
【請求項２】
前記パイルを構成する原糸は繊度が０．０５デニール以下の化繊モノフィラメントから成っており、表裏両パイル層のうち一方のパイル層の高さを約４ｍｍに、他方のパイル層の高さを約２ｍｍに設定することにより、液晶ディスプレイ付き機器の清掃に好適と成している、
請求項１に記載したパイル編地製の拭き布。
【発明の詳細な説明】
【０００１】
【発明の属する技術分野】
本発明は、各種物品や人の身体からゴミやホコリ、水分等の異物を拭き取るために使用する拭き布に関するものである。
【０００２】
【従来の技術】
敢えて説明するまでもなく、人の身体を拭くにはタオルやハンカチが使用されている。このうちタオルは一般にパイル編地のものが使用されており、肌触りが特に重要な機能として求められている。
【０００３】
他方、パソコンやテレビ、或いはデジタルカメラのような表示装置付きの電子機器や電器機器では、表示装置として液晶ディスプレイ（液晶パネル）が多用されているが、液晶ディスプレイの表示面は薄い樹脂フィルムから成っているため、ブラウン管とは異なって、一般のタオルやモップで拭くと傷付けてしまう虞がある。
【０００４】
このため、液晶ディスプレイについては、モップを撫でるように当てたり、ティッシュペーパーのような柔らかい紙をソフトに当てて拭いたりしていた。また、傷が厳禁の物品としてＣＤやＭＤのような記憶媒体用ディスクがあり、このディスク類のホコリ拭きにも慎重を要していた。
【０００５】
更に、ホコリやゴミの拭き取りに慎重を要するものとしてカメラ等の光学機器や眼鏡のレンズがあり、これらレンズ類のホコリ取りには、地組織の表裏両面にパイル層又は起毛層を形成した拭き布や、繊度が０．０１デニール程度の原糸の束よりなるマルチフィラメントで平織した拭き布などが使用されていた。
【０００６】
そして、タオルにしてもレンズ用拭き布にしても、その表裏両面にパイル層を形成している場合、従来は、表裏のパイル層の高さを同じにして編み上げられたものが使用されている。
【０００７】
【発明が解決しようとする課題】
ところで、液晶ディスプレイは表示面のみで構成されている訳ではなく、合成樹脂製のフレームを備えている。また、パソコン等の電子機器はディスプレイに加えて本体やキーボードのような他の装置も備えており、これら表示面以外の部分のホコリ類も拭き取る必要がある。
【０００８】
また、光学機器やメガネ類においても、ボデーやフレームのようなレンズでない部分の汚れを拭き取る必要がある。更に、例えば美容院やエステティックサロンで人の身体を拭く拭き布においては、例えば顔を拭く場合と腕や脚を拭く場合とで柔らかさを変えたいというように、拭く部分や目的・用途等の違いにより、柔らかさや肌触り等の機能を異ならせたい場合がある。
【０００９】
人の身体を拭く拭き布において拭く部位や目的によって肌触り等を異ならせたいとの要望は、病院で患者に使用するタオル類や介護用タオル類などにも考えられる。もちろん、人が個人的に使用して身体を拭く拭き布についても、肌触りの機能を優先的に求める場合と、汚れのこすり取り機能を優先的に求める場合とがある。
【００１０】
このように、物品に使用する拭き布についても人の身体に使用する拭き布についても、柔らかさや肌触り、或いは吸水性等の機能に違いを求められていることが多い。
【００１１】
しかし、従来のパイル編地製の拭き布は表裏両側が同じ状態になっていため、ユーザーの要望に答えるには複数種類を用意しておかねばならないことになり、このため取り扱いが面倒であると共に使い勝手が悪いという問題があった。
【００１２】
本発明は、このような現状を改善することを目的とするものである。
【００１３】
【課題を解決するための手段】
前記の目的を達成するため請求項１の発明では、地組織の表面と裏面とに、単位パイルの群が多数整列して編み込まれているパイル層を形成しており、各単位パイル層をループ状のままに保持して成る拭き布において、前記各単位パイルは多数本の原糸の束より成っており、表面側のパイル層と裏面側のパイル層とは、互いの高さを異ならせた状態に編み上げられている。
【００１４】
請求項１では表裏パイルの高さ寸法や高さの比率には限定はないが、パイルのもつ立体性を利用してホコル類を効率良く取るには、高さの低いパイル層であっても少なくとも１ｍｍ程度の高さがあるのが好ましい（１．５ｍｍ以上が特に好適である）。
【００１５】
また、表裏パイル層の高さの違いは少なくとも１．５倍以上（より好適には２倍かそれ以上）あるのが好ましい。この程度に高さが異なると、使用者に表裏パイル層のボリュームの違いを確実に視認せしめて、表裏の用途（使用箇所）を峻別させることができる。
【００１６】
請求項２の発明は、液晶ディスプレイ付き機器の清掃に使用する拭き布に好適なものとして案出したもので、請求項１の構成を前提として、前記パイルを構成する原糸は繊度が０．０５デニール以下の化繊モノフィラメントから成っており、表裏両パイル層のうち一方のパイル層の高さを約４ｍｍに、他方のパイル層の高さを約２ｍｍに設定している。
【００１７】
請求項２の場合、パイル用原糸の繊度は０．０５デニール以下が好適であり、更に好適には０．０２デニール程度がそれ以下である。
【００１８】
【発明の作用・効果】
本発明によると、拭き布の表面と裏面とでパイル層の高さを変えたことにより、表面と裏面とで柔らかさや肌触りのような機能を異ならせることができる。
【００１９】
このため、例えば、高さが高いパイル層はソフトタッチで拭き取る必要がある部分に使用し、高さが低いパイル層はある程度の力をかけて拭き取り可能な部分に使用すると言うように、１枚で２役をこなすことができる。このため、拭き布の使い勝手を格段に向上させることができる。
【００２０】
ところで、拭き布には、パイルの先端をカットして非ループ状となしたベロア生地のものや、地組織の表面を起毛したものなどがあるが、これら両者では、表面を構成する単位糸の先端は鋭いエッジになっていることが多いため、柔らかいものを拭くと相手を傷付ける虞があり、また、人に使用すると肌触りに劣る場合がある。
【００２１】
これに対して本願発明のように各単位パイルをループ状のままにしておくと、柔らかいものを拭いて傷付けることはなく、また、人に使用する場合はソフトさに優れている。また、表裏のパイル層は予め高さが違う状態に編み上げているため、起毛やカット等の工程は必要はなく、このためコスト面でも優れている。
【００２２】
既述のとおり液晶ディスプレイの表示面は傷付き易いため、ホコリを拭く場合もソフトに扱う必要がある。この点について本願発明者は実験を繰り返したところ、請求項２のように、原糸として繊度が０．０５デニール以下の化繊を使用して、高さの高いパイル層を４ｍｍ程度に編成すると、ソフトさとホコリ払拭性に優れていて好適であった。
【００２３】
また、例えばパソコンの本体やキーボードのような硬い素材からなる部分を拭く場合は、柔らかさやよりも汚れのこすり取る機能を優先させるべきであるが、高さの低いパイル層の高さを２ｍｍ程度の高さとすると、適度のボリュームは備えながら汚れ・ホコリの除去機能に優れていて好適であった。
【００２４】
また、パイル層の高さが高すぎると、使用によってパイルが寝てしまったり、洗濯後にパイルが寝てしまったりしてソフトさが損なわれるが、原糸として０．０５デニール程度がそれ以下の極細の化繊を使用した場合において長さの長いパイル層は約４ｍｍ程度の高さ（３．５〜４．５ｍｍ程度）に設定すると、地組織から突出した状態が保持されてソフトさを失わず、好適であった。
【００２５】
ところで、表裏のパイル層の高さの比率が小さいと、人はパイル層の高さの違いを視認しにくくて、例えばパソコン用拭き布であると、高さの低いパイル層で液晶表示面を拭いてしまうことがあり、そうすると、本体を拭いたために高さの低いパイル層に付着していたゴミ類のために液晶画面が傷付くという虞がある。
【００２６】
これに対して請求項２のように、表裏のパイル層の高さを違いを２倍程度に設定しておくと、使用者をして表裏パイル層の高さの違いを一瞥しただけで視認せしめることができるため、使用者に、高さの高いパイル層は液晶画面のホコリ取りの専用として使用し、高さの低いパイル層はその他の部位に使用するというように、表裏のパイル層の用途を明確に区別させることができて、好適である。
【００２７】
なお、請求項２の拭き布は液晶ディスプレイ付き機器のみでなく、人の身体に使用するなど、他の用途にも使用できることは言うまでもない。
【００２８】
【発明の実施形態】
次に、本発明の実施形態を図面に基づいて説明する。
【００２９】
図１は折り返して表裏を見せた状態の拭き布の斜視図、図２のうち（Ａ）は拭き布の表面側を模式的に表示した斜視図、（Ｂ）は拭き布の裏面側を模式的に表示した斜視図、図３は拭き布の模式的な断面図である。
【００３０】
（１）．構成
拭き布は、例えばダブルラッセル編機のような２列針床を有する編機によって編成されており、経糸と緯糸（共に図示せず）とを絡ませて成る地組織１と、地組織１の表面側に形成した表パイル層２と、地組織１の裏面側に形成した裏パイル層３とから成っている。ゲージ数は例えば２８としている。
【００３１】
表パイル層２及び裏パイル層３とも多数の単位パイル４，５の群から成っており、これら単位パイル４，５の群は、地組織１の網目に適当な間隔で絡まっており、一定ピッチで縦横に整列した状態に並んでいる。そして、表パイル層２の高さ寸法Ｈ１を約４ｍｍに、裏パイル層３の高さ寸法Ｈ２は約２ｍｍに設定している。従って、両パイル層２，３の高さの比率は約２：１となっている。
【００３２】
本実施形態の拭き布は液晶ディスプレイ付き機器のホコリ取りに好適な態様としており、地組織１の糸条としては、適度の腰と厚みを確保する点から１５０デニール・４８フィラメントのマルチフィラメントを使用している。
【００３３】
他方、表裏パイル層２，３を構成する糸条６は、図４に示すように、極めて多数本の原糸８を束ねたマルチフィラメントを使用しており、極く緩い撚りを掛けている。パイル用糸条６にごく軽い撚りがかかっているため、編まれてパイルになると、撚りに起因した復元力によって各単位パイル４，５は図５に示すようにごく緩くねじれたような状態になっている。このため、各単位パイル４，５は、その自立性を保持しつつ各原糸が軽い力でバラケル得る状態になっている。
【００３４】
図４のうち（Ｃ）は（Ａ）のＣ−Ｃ視断面図であり、この図４（Ｃ）に示すように、パイル用糸条６を構成する原糸７の断面は図４（Ｃ）のような略台形条になっている。
【００３５】
原糸７がこのような断面形状になっているのは、図４（Ｄ）に示すように、断面が正八角形の原糸用モノフィラメント８を８等分に引き裂いたものを使用しているからである。原糸用モノフィラメント８は繊度が０．１３デニールのものを使用している。従って、原糸７の繊度は約０．０１６になっている。
【００３６】
パイル用糸条６の全体の繊度の好適な数値はゲージ数によっても相違するが、２８ゲージの場合、７５デニール程度とするのが好適であった。ゲージ数が高くなれば繊度は小さくし、ゲージ数が小さくなれば繊度を大きくして、パイル層２，３の全体のボリュームが略一定になるように組み合わせるのが好ましい。
【００３７】
パイル用糸条６の全体の繊度は、一般的には、５０〜１００デニール程度が好適と考えられる。この他に、例えば、原糸７の束よりなるマルチフィラメントを１単位（１フィラメント）として、７５デニール・３６フィラメントの中間糸と、１５０デニール・４８フィラメントの中間糸とで全体として２２５デニール・８４フィラメントのパイル用糸条６を構成するというように、デニール数とフィラメント数とが異なる複数の中間糸でパイル用糸条６を構成することも可能である。実用的には、全体として５０〜３００デニール程度の範囲が想定される。
【００３８】
地組織用原糸の素材及びパイル用原糸７の素材は様々のものを使用できるが、本実施形態では、ポリエステルとナイロンとを混紡したものを使用している。混紡比率はポリエステル７０％、ナイロン３０％とするのが好適であった。
【００３９】
本実施形態では、拭き布は、製造コストを抑制するため、大きな面積の原反を裁断することによって製造されている。そして、周縁がほどけるのを防止するため、拭き布の周縁部をシールバーによって溶着すると共に、かがり縫いを施している。なお、拭き布の四周縁部は地組織と表裏パイル層とが一体に圧着されたものであるが、図１，２では、便宜的に、四周縁部は地組織１として表示している。
【００４０】
（２）．まとめ
以上の説明から既に理解できるように、拭き布の表パイル層２は極めて細い原糸７で構成されていてしかもパイル高さが高くいため、柔らかくて、対象物に軽く当てるだけでホコリ類を拭き取ることができる。このため、例えば液晶ディスプレイの表示面や記録用ディスク類のホコリ拭きに最適である。
【００４１】
他方、裏パイル層３は高さが低くて形態保持性に優れているため、液晶ディスプレイのフレームやパソコンの本体、或いはＣＤケースのホコリや汚れを落とす場合のように、ある程度の力を掛けて汚れ等をこすり落とすのに好適である。
【００４２】
ところで、パイルを高い高さに編み上げても、使用や洗濯によって簡単に倒れて寝てしまうと、ソフト感が著しく減衰してしまう。さりとて、繊度の大きい原糸を使用すると、パイルの形状は保持できてもソフト感に劣ることになり、本来の目的である柔らかさを発揮できない。
【００４３】
これに対して、本実施形態のようにパイル用糸条６としてごく軽い撚りを掛けたマルチフィラメントを使用すると、各単位パイル４，５は極めて細い原糸７で構成されているにも拘らず形態保持性が高いため、換言すると、各単位パイル４，５が極めて細い原糸（超極細繊維）から成っているにも拘らず適度の腰を持たせて形崩れしにくいため、ソフトさを長期にわたって維持できる利点がある。
【００４４】
また、地組織１の全面にわたってパイル層２，３が均一に密植した状態に形成することも可能であるが、本実施形態のように隣合った単位パイル４，５の間に適当な間隔を空けておくと、各単位パイル４，５が適度に撓むことが許容されるため、柔らかさ（ソフト感）において優れている。極細の原糸としては、０．１３デニールの素材糸を１２等分に裂いたものも実用化されているが、このような原糸も本願発明に使用可能である。
【００４５】
なお、地組織１において、例えば１インチ当たりの網目の数がゲージ数と同じであるというように網目の密度が小さい場合は、各網目ごとに単位パイル４，５を絡ませても、隣合った単位パイル４，５の間に適度の間隔を空けることができる。
【００４６】
地組織１の単位長さ当たりの網目の数がゲージ数より多くて網目の密度が高い場合は、地組織１の網目に対して１つ飛びや複数飛びのような状態で単位パイル４，５を絡ませることにより、単位パイル４，５を適度の密度に設定できる。地組織１とパイル層２，３とに同じ繊度の原糸を使用することも可能である。
【００４７】
また、例えば高さの高いパイル層２に「ディスプレイ用」の文字を表示し、高さの低いパイル層３に「本体用」の文字を表示するというように、表裏のパイル層２，３に、適用箇所の表示を捺染やプリント等の適宜手段によって施すことも可能である。
【００４８】
（３）．その他
本発明は、上記の実施形態の他にも様々に具体化することができる。例えば、地組織の素材や繊度・原糸の断面形状・編み構造（織り構造）、パイルの素材や繊度・原糸の断面形状・パイル高さ・パイルの密度などの各要素、或いは編機の種類やゲージ数等は、用途に応じて様々に具体化できる。
【００４９】
例えば、高さが高いパイル層は化繊で構成し、高さの低いパイル層は綿糸のような天然繊維で構成するというように表裏パイルの素材を変えることや、表裏のパイル層を異なる繊度の原糸で構成するといったことも可能である。
【００５０】
言うまでもないが、拭き布の大きさや形状は必要に応じて自由に設定できる。また、本願発明に係る拭き布とは、タオルケットのように保温等の他の機能を備えたものも含む概念である。
【図面の簡単な説明】
【図１】折り返した状態の拭き布の斜視図である。
【図２】拭き布の表面及び裏面を模式的な断面図である。
【図３】拭き布の模式的な断面図である。
【図４】パイル用糸条及び原糸を示す図である。
【図５】単位パイルの外観図である。
【符号の説明】
１  地組織
２  表パイル層
３  裏パイル層
４，５  単位パイル
６  パイル用の糸条
７  パイル用原糸
【図１】
2004305616.tif 000003
【図２】
2004305616.tif 000004
【図３】
2004305616.tif 000005
【図４】
2004305616.tif 000006
【図５】
2004305616.tif 000007